(57)【要約】      （修正有）【課題】既存の照明器具等に容易に取り付けることのできる昇降装置を供給し、照明器具等を任意の高さに下降させ、電球の交換、傘の掃除を楽な姿勢で容易に行うことができるようにする。【解決手段】既存の照明器具１４等と天井面１の間に、低トルク型バネを略Ｓ状に使用し、板バネ１０を巻きつけたリール８，９の外側に位置した巻き取りリールに、照明器具を吊り下げるための袋打ちコード１１を巻き付け、コードを引き出せるものとした照明器具等の昇降装置を取り付ける。内蔵の板バネの付勢力とストップレバーにより、照明器具等を降下させ任意の高さに固定することができ、器具の上昇時には、ストッパーを解除させることにより上昇させる。【選択図】図１
2005285391.tif 000002
【特許請求の範囲】
【請求項１】
各軸の周りに回転可能に装着した一対のリールに板バネを略Ｓ状に巻き付け、一方のリールの外側に一体に形成した巻き取りリールに照明器具等を吊り下げるための袋打ちコードを巻き付けた定トルク型の昇降装置において、リールの回転に伴い電気的接続をもつ接触子を有するとともに、リール外部にリールの静止用ストッパーを有し、既存の照明器具等と接続することができる照明器具等の昇降装置。
【請求項２】
請求項１に記載の静止用ストッパーを用いることにより、昇降装置に取り付けた照明器具等を昇降させる時、任意の高さに停止させることができ、更に照明器具等を上昇させ元の位置に戻す場合には、照明器具等を停止状態からやや引き出した後に手を放すと、板バネの勢力により自動的に元の位置に引き戻される機能を有する照明器具等の昇降装置。
【発明の詳細な説明】
【技術分野】
【０００１】
本発明は、既存の照明器具等に取り付けることができ、照明器具等を任意の高さに昇降させ、電球の交換、掃除を容易に行うことのできる、照明器具等の昇降装置に関するものである。
【背景技術】
【０００２】
高齢化社会の進行により急速に高齢者人口が増加している。また、家庭における事故は授乳児と高齢者に事故が偏っており安全性が叫ばれている。安全対策の重要性を認識させる必要がある。
【０００３】
高齢者の日常生活において、高齢者が照明器具の玉替えや掃除の時に、高いところに上り作業することは非常に危険である。
【０００４】
また、視力の低下した高齢者にとって照明器具の高さを調整するなどして、明るさの増大を図ることは有効である。
【０００５】
この改善策として、昇降機能付の照明器具が市販化されている。しかしながら、既存の照明器具に取り付けられるものは電動式しか無く、高価、取付の困難さが見受けられる。
【特許文献１】特開昭５５−１４８３０６号公開
【特許文献２】特開平０６−２７５１２１号公開
【発明の開示】
【発明が解決しようとする課題】
【０００６】
解決しようとする問題点は、既存の照明器具等に容易に取り付けられる昇降装置が存在せず、高齢者は踏み台等を用いて危険な姿勢での作業を強いられてきたことである。
【０００７】
さらに、昇降機能付照明器具は照明器具を上下させるための取っ手が付属しており、取っ手を保持して任意の位置に照明器具の高さを固定することができた。しかし、既存の照明器具には器具を昇降させるための取っ手が無いため、既存の昇降装置付照明器具の昇降構造をただ適用するだけでは、照明器具を昇降させることが困難であった。
【課題を解決するための手段】
【０００８】
本発明は、既存の照明器具等に後から取り付けることができる定トルク型バネを用いた照明器具等の昇降装置であり、任意の高さに固定することができ、簡単な操作で器具を上昇させることができることを特徴とする。
【発明の効果】
【０００９】
本発明に係る照明器具等の昇降装置を既存の照明器具に用いることにより、照明器具を任意の高さに下降させ、電球の交換、傘の掃除を楽な姿勢で容易に行うことができる。
【００１０】
さらに、本発明に係る照明器具等の昇降装置を既存の照明器具に用いることにより、照明器具を点灯したまま下降させ、手元の明るさを増大させることができる。
【発明を実施するための最良の形態】
【００１１】
本発明の照明器具等の昇降装置には、定トルク型板バネ及び静止用ストッパーを使用し、任意の高さに照明器具等を固定し、上昇時には簡単な操作で上昇させることができるよう実現した。
【実施例】
【００１２】
以下、本発明に係る照明器具等の昇降装置及び昇降装置を照明器具に取り付ける場合の好適な実施形態について、図面を参照しつつ説明する。
【００１３】
第1図は本発明に係る照明器具等の昇降装置箱体７を天井取付プレート２を介して天井面１の外側に機械的に固定し、引掛シーリング５を用いて天井面２に固定の電源ローゼット３と電気的に接続している。また、昇降装置付属の既存器具接続用電源ローゼット１２と既存照明器具１４に付属の既存器具付属引掛シーリング１３とが機械的かつ電気的に接続されている。
【００１４】
昇降装置の構造は第３図のように各軸１５，１６の周りに回転可能に装着した一対のリール８，９に板バネ１０を略Ｓ状に巻き付け、一方のリール９の外側に一体に形成した巻き取りリール１８に照明器具等の物品を吊り下げるための袋打ちコード１１を巻き付け、箱体７に収納した定トルク型の昇降装置となっている。さらに、第４図のように、リール９内においては、引掛シーリング５と袋打ちコード１１が巻き取りリール１８の回転時にも電気的に接続をなすための回転子１９と固定子２０が内蔵されているとともに、板バネ１０の勢力による引き戻しを停止し、任意の位置で支持するための静止用ストッパー１７から構成される。
【００１５】
これらの取付は、第１図のように天井面１の外側に取り付ける場合、天井面１に天井取付プレート２をねじ等で強固に取り付ける。前記天井取付プレート２に固定されている箱体固定ビス４を箱体７に空けた固定用穴６に貫通させナット等で固定する。天井面等に固定されている電源ローゼット３と昇降装置付属の引掛シーリング５を接続する。昇降装置と既存照明器具１３の固定には昇降装置付属の袋打ちコード１１の先端に接続されている既存照明器具接続用電源ローゼット１２と既存照明器具１４の既存照明器具付属引掛シーリング１３を接続することにより、既存照明器具１４を改造することなく昇降装置を取り付けることができる。
【００１６】
また、第2図のように、本発明に係る照明器具等の昇降装置箱体７を天井面１の内側にねじ等で強固に固定し、室内に昇降装置箱体７を露出せず取り付けることも可能である。この場合、昇降装置と電源の接続には必ずしも引掛シーリング５を用いる必要は無い。
【００１７】
通常の照明器具の使用時には、照明器具が歩行時の障害となりうるため照明器具を箱体７まで上昇させて使用することが多い。その際、静止用ストッパー１７と板バネ１０の付勢力により袋打ちコード１１は箱体７内に巻き上げのられ、照明器具等が降りてくることはない。
【００１８】
次に、この昇降装置の動作について説明する。照明器具等を降下させる場合には、既存照明器具１４付属のプルスイッチに付属する紐等を引っ張り、任意の高さまで照明器具を引張り降ろす。この時、巻き取りリール１８内に装着される静止用ストッパー１７内部が反時計方向に回動し、この回転に伴って袋打ちコード１１が巻き取りリール１８から巻き解かれ、袋打ちコード１１を箱体７から引き出すことができる。また、この袋打ちコード１１の引き出しに伴う巻き取りリール１８の反時計方向側への回動に際し、板バネ１０が他方のリール８に巻き締められて巻き取りリール１８を時計方向側に付勢する。そして、袋打ちコード１１の引き出しを止めると、板バネ１０の付勢力によって巻き取りリール１８は時計方向に回動しようとするが、静止用ストッパー１７が動作し、巻き取りリール１８の回動が停止し、その状態を維持する。
【００１９】
一方、この停止状態から照明器具等をやや下に引張る等の操作を行い、袋打ちコード１１をやや引き出すと、静止用ストッパー１７のロックが解除される。そして、この状態で、引張り操作している照明器具等を離すと、板バネ１０の付勢力によって巻き取りリール１８は時計方向に回動し始め、その回動に伴って巻き取りリール１８は回動を続け、袋打ちコード１１を巻き取りリール１８に巻回する。これにより、箱体７から引き出した袋打ちコード１１を、箱体７に引き戻すことができ、照明器具を上昇させることができる。
【００２０】
前記巻き取りリール１８が回転した場合も、巻き取りリール１８と共に回転する回転子１９と、回転を伴わない固定子２０が回転に関わらず常に電気的に接触している。そのため、袋打ちコード１１を引き出し、既存照明器具１４等を降下させた場合でも、照明を付けることが可能であり、手元の明るさ向上にも寄与する。
【図面の簡単な説明】
【００２１】
【図１】システム全体の天井面外側への取付概要を示した説明図である。
【図２】システム全体の天井面内側への取付概要を示した説明図である。
【図３】昇降装置の詳細を横方向より示した説明図である。
【図４】昇降装置の詳細を縦方向より示した説明図である。
【符号の説明】
【００２２】
１    天井面
２    天井取付プレート
３    電源ローゼット
４    箱体固定ビス
５    引掛シーリング
６    固定用穴
７    箱体
８    リール
９    リール
１０    板バネ
１１    袋打ちコード
１２    既存器具接続用電源ローゼット
１３    既存器具付属引掛けシーリング
１４    既存照明器具
１５    軸
１６    軸
１７    静止用ストッパー
１８    巻き取りリール
１９    回転子
２０    固定子
【図１】
2005285391.tif 000003
【図２】
2005285391.tif 000004
【図３】
2005285391.tif 000005
【図４】
2005285391.tif 000006